(57)【要約】      （修正有）【課題】マスク本体だけでなく首巻にも保冷剤又は保温剤を入れて、冷却効果又は保温効果を高め、熱中症を予防し又は適正体温に維持できる立体マスクを提供する。【解決手段】左右２つのマスク本体２−１、２−２と、耳掛ひも２−３と、から少なくとも構成されており、該左右のマスク本体を縫合することで立体形状となる立体マスク１において、左右それぞれのマスク本体が、一枚の生地をマスク本体の下端部で折り曲げると共に耳掛ひもを挿通できるように、両サイドの横辺を縫合したことによって該マスク本体に本体収納部２−５及び耳掛ひも挿通部２−４を設けた。左右のマスク本体と首巻３とに、それぞれ対応する首巻用係止具３−４を設けたことによって、該首巻を着脱自在に係止でき、首巻が表裏二枚の生地によって構成されており、該首巻の下辺が閉じてあって、上辺に開口部３−２を設けることによって首巻収納部３−１を設けた。【選択図】図１
0003230324.tif 000002
【実用新案登録請求の範囲】
【請求項１】
左右２つのマスク本体と、耳掛ひもと、から少なくとも構成されており、該左右のマスク本体を縫合することで立体形状となる立体マスクにおいて、左右それぞれのマスク本体が、一枚の生地をマスク本体の下端部で折り曲げると共に耳掛ひもを挿通できるように、両サイドの横辺を縫合したことによって該マスク本体に本体収納部及び耳掛ひも挿通部を設けたことを特徴とする立体マスク。
【請求項２】
前記左右のマスク本体と首巻とに、それぞれ対応する首巻用係止具を設けたことによって、該首巻を着脱自在に係止できることを特徴とする請求項１に記載の立体マスク。
【請求項３】
前記首巻が表裏二枚の生地によって構成されており、該首巻の下辺が閉じてあって、上辺に開口部を設けることによって首巻収納部を設けたことを特徴とする請求項２に記載の立体マスク。
【請求項４】
前記左右のマスク本体の前記耳掛ひも挿通部に、フェイスシールドの支持部を挿入することによって該フェイスシールドを着脱自在に挿着できることを特徴とする請求項１又は２又は３に記載の立体マスク。
【請求項５】
前記マスク本体がポリウレタン製であることを特徴とする請求項１から４のいずれかに記載の立体マスク。
【請求項６】
前記首巻がポリウレタン製の生地でできていることを特徴とする請求項２又は３に記載の立体マスク。
【考案の詳細な説明】
【技術分野】
【０００１】
本考案は、マスク本体及び首巻に保冷剤又は保温材を収納することによって、顔や首を冷やす、又は、温めることができる立体マスクに関するものである。
【背景技術】
【０００２】
近年、新型コロナウイルスが流行し、感染拡大防止の観点から季節を問わずマスクを着装することが当たり前となってきている。しかし、夏季のマスク装着は、体温が上昇し、また、マスク内の換気ができないので蒸し暑く、上り坂の歩行や長時間の歩行などの運動によって熱中症を発生させる危険性があった。
【０００３】
そこで、マスクを装着しながら、口元を冷却して熱中症を防ぐ考案がされており、例えば、マスクに袋状のポケット部を２つ設け、後頭部に係止部を備えた帽子をかぶり、マスクの装着ひもを該係止部に引掛けてマスクを保持する帽子付きマスクが先行技術として開示されている（文献１）。
【先行技術文献】
【特許文献】
【０００４】
【特許文献１】実用新案登録第３２２８３４３号公報。
【考案の概要】
【考案が解決しようとする課題】
【０００５】
前記の先行技術は、保冷剤を入れてマスクを冷却して顔を冷やして熱中症を予防できる点、また、保冷材によって重量の増えたマスクを耳に負担を掛けずに保持できる点で優れているが、口元しか冷却できないので、冷却効果が限定的であるという問題があった。
【０００６】
そこで、上記の問題を解決するために、本体収納部に保冷剤又は保温剤を入れて重量の増えたマスクを、耳掛ひもと首巻によってマスクを保持し、マスク本体だけでなく首巻にも保冷剤又は保温剤を入れて、冷却効果又は保温効果を高め、熱中症を予防し又は適正体温に維持できる立体マスクを提供するものである。
【課題を解決するための手段】
【０００７】
本考案の請求項１に係る立体マスクは、左右２つのマスク本体と、耳掛ひもと、から少なくとも構成されており、該左右のマスク本体を縫合することで立体形状となる立体マスクにおいて、左右それぞれのマスク本体が、一枚の生地をマスク本体の下端部で折り曲げると共に耳掛ひもを挿通できるように、両サイドの横辺を縫合したことによって該マスク本体に本体収納部及び耳掛ひも挿通部を設けたことを特徴とする。
【０００８】
この構成を採用することによって、本考案に係る請求項１の立体マスクは、飛沫の飛散防止に役立たせることができる。また、立体形状をしているので、マスクが口元や鼻に接触している面積が少なくなって、不快感が少なくなり、しかも、息苦しくない。また、耳に、耳掛ひもを引掛けて立体マスクを保持するので、装着が簡単である。また、単純な構造なので製作費用が安く済む。
【０００９】
また、本考案の立体マスクは、マスク本体の下端部を上方向に折り曲げて横辺を縫合し、また、上辺は縫合せずに解放された開口部となっていて、マスク本体に収納部を形成している。よって、その収納部に、夏季であれば保冷剤を入れて口元や鼻回りを冷やしたり、また、冬季であれば保温剤を入れて口元や鼻回りを温めたり、また、インフルエンザやコロナウイルスの流行期には、フィルター材を入れて感染を予防したりすることができる。よって、マスクの装着時の熱中症予防や不快感を少なくさせることができる。なお、フィルター材は、保冷剤や保温剤と共に入れても良い。
【００１０】
本考案の請求項２に係る立体マスクは、請求項１に記載の立体マスクにおいて、前記左右のマスク本体と首巻とに、それぞれ対応する首巻用係止具を設けたことによって、該首巻を着脱自在に係止できることを特徴とする。また、本考案の請求項３に係る立体マスクは、請求項２に記載の立体マスクにおいて、前記首巻が表裏二枚の生地によって構成されており、該首巻の下辺が閉じてあって、上辺に開口部を設けることによって首巻収納部を設けたことを特徴とする。
【００１１】
これらの構成を採用することによって、本考案の立体マスクは、立体マスク本体に首巻を係止させて一体とすることによって、耳掛ひもだけでなく首巻によっても支えることができるので、立体マスクの本体収納部に、保冷剤や保温剤を収納しても、耳の負担が軽減できて耳が痛くなるのを防止できる。また、首巻の下辺が縫合して閉じており、上辺の一部に開口部があるので、保冷剤や保温剤を挿入することができる。よって、夏季には延髄部を保冷材によって冷やすことができるので熱中症を予防できると共に、冬季には延髄部を保温剤によって温めて、冷え性を抑制できる。したがって、マスクを装着した児童の熱中症予防に役立つ。
【００１２】
また、本考案の請求項４に係る立体マスクは、請求項１又は２又は３に記載の立体マスクにおいて、前記左右のマスク本体の前記耳掛ひも挿通部に、フェイスシールドの支持部を挿入することによって該フェイスシールドを着脱自在に挿着できることを特徴とする。
【００１３】
この構成を採用することによって、本考案に係る請求項４の立体マスクは、立体マスクの耳掛ひも挿通部の上方から下方に向かって、フェイスシールドの支持部を挿入することができて、フェイスシールドを立体マスクに装着することができる。よって、対面で会話している人や第三者からの飛沫を目や顔面に浴びることを防止できる。したがって、感染症の感染拡大防止に役立つ。
【００１４】
また、本考案の請求項５に係る立体マスクは、請求項１から４のいずれかに記載の立体マスクにおいて、前記マスク本体がポリウレタン製であることを特徴とする。また、本考案の請求項６に係る立体マスクは、請求項２又は３に記載の立体マスクにおいて、前記首巻がポリウレタン製の生地でできていることを特徴とする。
【００１５】
これらの構成を採用することによって、本考案の立体マスクは、ポリウレタン製なので通気性が良く、夏季に使用した際に、口元や鼻及び首回りにおいて発生する汗が蒸発して蒸れにくくなり、マスクや首巻の装着時における不快感を防止できる。また、通気性が良いので、ジョギング時に使用しても息苦しくなく、また、カラオケの際にも、違和感なくマスクを装着できる。
【考案の効果】
【００１６】
本考案に係る請求項１から６の立体マスクによれば、飛沫の飛散防止に役立たせることができ、また、立体形状をしているので、マスクが顔に接触している面積が少なく、不快感が少なくなり、しかも、息苦しくない。また、耳に耳掛ひもを引掛けて立体マスクを保持するので、装着が簡単である。また、感染症拡大防止に役立つ。また、夏季には保冷材によって冷やすことができるので熱中症を予防できると共に、冬季には、保温剤によって温めることができるので冷え性を抑制できる。また、通気性がよく蒸れにくくなり、マスクや首巻の装着時における不快感を防止できる。また、単純な構造なので製作費用が安く済む。
【図面の簡単な説明】
【００１７】
【図１】図１は、本考案を実施するための形態に係る立体マスクにおいて、首巻及フェイスシールドを装着した場合の模式的斜視図である。
【図２】図２は、本考案を実施するための形態に係る立体式マスクのマスク本体から、首巻、フェイスシールドを外した場合の模式的断面図である。
【図３】図３は、本考案を実施するための形態に係る立体式マスクにおける立体マスクに、首巻及びフェイスシールドを装着してを使用している状態を示す模式的斜視図である。
【考案を実施するための形態】
【００１８】
本考案に係る立体式マスク１は、図１、図２に示すように、少なくとも、左右に２分割されたマスク本体２と、耳掛ひも２−３と、を備えており、加えることができる装備として首巻３とフェイスシールド４とがある。また、マスク本体２は、右側マスク本体２−１と、左側マスク本体２−２と、その左右の端部にある耳掛ひも挿通部２−４と、からなる。
【００１９】
マスク本体２は、前述したように、右側マスク本体２−１と、左側マスク本体２−２と、その左右の端部にある耳掛ひも挿通部２−４と、からなっている。また、マスク本体２−１，２−２は、それぞれ１枚のポリウレタン生地を下端部で折り返して、表裏の２枚のポリウレタン生地とし、耳掛ひも挿通部２−４との境を縫合し、上辺全体を開口部として１つの本体収納部２−５を設けている。即ち、マスク本体（右側）２−１とマスク本体(左側)２−２とは、表裏のそれぞれ２面で縫合されて立体形状をなしていて、内部は全体で１つの本体収納部２−５となっている。その本体収納部２−５に、夏季は保冷剤、冬季は保温剤、コロナウイルスやインフルエンザウイルスが流行時には、フィルター材を挿入することができる。これによって、本考案に係る立体マスク１を使用することによって、快適で、安全的、衛生的な生活を送ることができる。また、マスク本体２の生地はポリウレタン製なので、通気性が良くマスクをした顔面が蒸れにくいので快適に過ごすことができる。なお、フィルター材は、保冷剤又は保温剤と共に使用できる。
【００２０】
耳掛ひも２−３は、マスク本体２の耳掛ひも挿通部２−４を通して支持されており、また、例えばゴムひものような、伸縮性を有する素材でできている。これによって、耳掛ひも２−３を耳に掛ければ、マスク本体２を顔面の所定の位置に保持できる。
【００２１】
首巻３は、両端部に首巻係止具(オス)３−４を備えており、首の後ろを回して、マスク本体２に設けられた２つの首巻係止具（メス）２−８に係止して固定できる。また、首巻３は、２枚のポリウレタン生地でできており、下端部３−３と両横端部を縫合し、上端部は、首巻開口部３−２以外を縫合して、首巻収納部３−１を備えている。この首巻収納部３−１に、夏季は保冷剤、冬季は保温剤を詰めることができる。これによって、延髄部を冷やしたり、温めたりできるので、夏季は熱中症を予防でき、冬季は冷え性を抑えることができる。また、マスク本体２の収納部２−５に、保冷剤又は保温剤を入れた際の重量を、首巻３によって首で支えることができるので、耳掛ひも２−３による耳への重量負担を軽減できる。よって、耳が痛くならず長時間の使用も快適に使用できる。また、首巻３は、ポリウレタン製なので、通気性が良く夏季の発汗時も蒸れにくく、快適に過ごせる。
【００２２】
フェイスシールド４は、ポリスチレン、ポリカーボネート、ポリエステル、アクリルのような透明な樹脂製であって、フェイスシールド支持部４−１を、マスク本体２の耳掛ひも挿通部２−４に上から挿してマスク本体２に装着して固定する。これによって、フェイスシールド４は、透明な合成樹脂なので、使用者１０の視界は悪くならずに、顔、特に目を飛沫から守り、コロナウイルスやインフルエンザウイルスの感染拡大の防止に役立つ。
【００２３】
本考案に係る立体マスク１の製造方法の一例を説明する。本考案に係る立体マスク１は、ポリウレタン製の生地を所定の形状に切断し、また、所定の位置に、スナップのメス２−８を設置する、左右それぞれのマスク本体２−１、２−２を、所定の位置で下から折り曲げると共に、耳掛ひも挿通部２−４となる部分を横から折り曲げて、マスク本体２が表裏２枚と耳掛ひも挿通部２−４を形成できるように縫合する。そして、それぞれのマスク本体２−１、２−２をマスクの中央の位置で、表、裏、それぞれ別々に縦方向に縫合することで、マスク本体２が１つになって、その中央部に本体収納部２−５が形成される。そして、耳掛ひも挿通部２−４に、所定の長さに切断されゴムひもでできた耳掛ひも２−３を通して、端部を括ってマスク本体２は完成する。
【００２４】
また、首巻３は、ポリウレタン製の生地を所定の形状に切断して、首巻３の上部中央部の位置（首の後ろ側の位置）に設けた首巻開口部３−２を除いて、表裏２枚のの生地の周囲を縫合し、首巻の内部全体に首巻収納部３−１を設ける。そして、所定の位置にスナップのオス３−４を設けて、首巻３は完成する。
【００２５】
また、フェイスシールド４は、透明なポリスチレンを所定の形状の金型に射出成型して作成する。
【００２６】
次に、本考案に係る立体マスク１の使用方法の一例を図３に基づいて説明する。まず、使用者１０は、マスク本体２の本体収納部５と首巻３の首巻収納部３−１全体に、所定の大きさの保冷剤を挿入する。そして、マスク本体２を使用者１０の顔の所定の位置に持って行き、左右の耳掛ひも２−３を耳に掛けて、マスク本体２を顔に装着する。そして、首巻３の中央部付近を、使用者１０の首の後ろに引っ掛けながら、スナップのオス３−４をマスク本体２のスナップのメス２−８に係止させる。最後に、フェイスシールド４の支持部４−１を、マスク本体２の耳掛ひも挿通部２−４の上側から差込んで装着すれば使用できる状態となる。これによって、夏季の蒸し暑い時期でも、保冷材によって口元や鼻回り、首が冷やされ、また、発汗した汗は通気性が良いので、蒸発して蒸れない。よって、本願考案に係る立体マスク１によって、使用者１０は快適に使用状態を維持できる。
【００２７】
本考案に係る立体マスク１を用いれば、マスク本体２によって、使用者１０からの飛沫の飛散防止に役立たせることができると共に、フェイスシールド４によって、第三者からの飛沫に対し、使用者１０の目や顔に浴びることが防止できるので、感染症拡大防止に役立つ。また、本考案の立体マスク１は、立体形状をしているので、使用者１０が使用しても、マスクが顔に接触している面積が少なく不快にならず、しかも、息苦しくない。また、耳に耳掛ひも２−３を耳に引掛けて立体マスク１を保持するので、装着が簡単である。また、夏季には保冷材によって冷やすことができるので熱中症を予防できると共に、冬季には、保温剤によって温めることができるので冷え性を抑制できる。また、通気性がよく蒸れにくくなり、マスクや首巻の装着時における不快感を防止できる。また、単純な構造なので製作費用が安く済む。
【産業上の利用可能性】
【００２８】
立体マスクの分野で広く利用できる。
【符号の説明】
【００２９】
１：立体マスク
２：マスク本体
２−１：マスク本体（右側）        ２−２：マスク本体（左側）
２−３：耳掛ひも                  ２−４：耳掛ひも挿通部
２−５：本体収納部                ２−６：本体開口部
２−７：本体下端部                ２−８：首巻係止具（メス）
３：首巻
３−１：首巻収納部                ３−２：首巻開口部
３−３：首巻下端部                ３−４：首巻係止具(オス)
４：フェイスシールド
４−１：フェイスシールド支持部
１０：使用者
【図１】
0003230324.tif 000003
【図２】
0003230324.tif 000004
【図３】
0003230324.tif 000005